(57)【要約】  表示パネルを確実に支持でき、ディスプレイ間の繋ぎ目を目立たなくできる、表示装置を提供する。ディスプレイ（１００）は、表面（１２）と裏面（１３）とを有する液晶パネル（１１）と、液晶パネル（１１）を駆動するための、バックライトユニット（１６）を含むモジュールと、バックライトユニット（１６）を保護および保持する背面側筐体（２２）と、液晶パネル（１１）の額縁領域（１４）を覆って配置され、液晶パネル（１１）の表面（１２）から額縁領域（１４）の前面側へ導光するとともに、液晶パネル（１１）を表面（１２）から支持する、凸レンズ（３１）と、を備える。
2012096231.tif 000002
【特許請求の範囲】
【請求項１】
表面（１２）と裏面（１３）とを有する表示パネル（１１）と、
前記表示パネル（１１）を駆動するためのモジュールと、
前記モジュールを保護および保持する筐体（２２）と、
前記表示パネル（１１）の周縁部（１４）を覆って配置され、前記表示パネル（１１）の前記表面（１２）から前記周縁部（１４）の前面側へ導光するとともに、前記表示パネル（１１）を前記表面（１２）から支持する、導光部材（３１）と、を備える、表示装置（１００）。
【請求項２】
前記導光部材（３１）は、前記表示パネル（１１）の前記表面（１２）に平面（３３）を面接触させた平凸レンズ（３１）を含む、請求項１に記載の表示装置（１００）。
【請求項３】
前記導光部材（３１）は、前記平面（３３）から前記筐体（２２）側へ延び前記筐体（２２）に取り付けられた延出部（３６）を含む、請求項２に記載の表示装置（１００）。
【請求項４】
前記平面（３３）と前記筐体（２２）との間に介在する弾性部材（４２）をさらに備える、請求項２に記載の表示装置（１００）。
【請求項５】
前記表示装置（１００）は、液晶表示装置である、請求項１から請求項４のいずれかに記載の表示装置（１００）。
【発明の詳細な説明】
【技術分野】
【０００１】
本発明は、表示装置に関し、特に、マルチディスプレイシステムに使用される表示装置に関する。
【背景技術】
【０００２】
大画面のディスプレイを構成する手段として、マルチディスプレイシステムが注目されている。たとえば、特開２０００−１８０９６４号公報（特許文献１）には、マルチ画面で生じる目地を目立たなくするため、画像が投射される各平行平板スクリーンブロックの光照射側に周辺が凸レンズ構造で中央部が平板であるレンズ状透明スクリーンを装着させる構成が開示されている。特開昭６０−２４２４２４号公報（特許文献２）には、表示パネルを２個以上接続した透過型液晶マトリックス表示装置において、表示パネル接続部にレンズあるいはプリズムを設けた構成が開示されている。【０００３】
特開平５−１８８８７３号公報（特許文献３）には、前面パネルの前面を曲面にすることにより、各発光点より発する光を屈折させ、見かけ上の発光点をその前面パネルの周囲に設けられた側板上に有し、タイリングを行った場合の表示素子接合部でも発光させることのできる大画面ディスプレイ装置が開示されている。国際公開第０２／４２８３８号（特許文献４）には、ディスプレイ領域をカバーするカバープレート組立体が層状であり、上部半透明のプラスチック層はレンズを提供するためにエッジでカーブしている構成が開示されている。
【先行技術文献】
【特許文献】
【０００４】
【特許文献１】特開２０００−１８０９６４号公報
【特許文献２】特開昭６０−２４２４２４号公報
【特許文献３】特開平５−１８８８７３号公報
【特許文献４】国際公開第０２／４２８３８号
【発明の概要】
【発明が解決しようとする課題】
【０００５】
特開昭６０−２４２４２４号公報（特許文献２）には、マトリックス状に配置された液晶表示装置の接続部にレンズあるいはプリズムを設け、液晶駆動用画素のない接続部の表示方法を改善する技術が開示されている。液晶表示装置では通常、液晶パネルの額縁部が装置前方から筐体によって支持されるのに対し、特開昭６０−２４２４２４号公報（特許文献２）では筐体は示されておらず、液晶パネルを支持するための構成は明示されていない。そのため、特開昭６０−２４２４２４号公報（特許文献２）には、液晶パネルを確実に支持できるとともに、ディスプレイ間の繋ぎ目を目立たなくするための技術は開示されていない。またその他の文献にも同様に、このような技術は開示されていない。【０００６】
本発明は上記の問題に鑑みてなされたものであり、その主たる目的は、表示パネルを確実に支持できるとともに、ディスプレイ間の繋ぎ目を目立たなくすることのできる、表示装置を提供することである。
【課題を解決するための手段】
【０００７】
本発明に係る表示装置は、表面と裏面とを有する表示パネルと、表示パネルを駆動するためのモジュールと、モジュールを保護および保持する筐体と、表示パネルの周縁部を覆って配置され、表示パネルの表面から周縁部の前面側へ導光するとともに、表示パネルを表面から支持する、導光部材と、を備える。【０００８】
上記表示装置において好ましくは、導光部材は、表示パネルの表面に平面を面接触させた平凸レンズを含む。【０００９】
上記表示装置において好ましくは、導光部材は、平面から筐体側へ延び筐体に取り付けられた延出部を含む。【００１０】
上記表示装置において好ましくは、平面と筐体との間に介在する弾性部材をさらに備える。【００１１】
上記表示装置は好ましくは、液晶表示装置である。
【発明の効果】
【００１２】
本発明の表示装置によると、表示パネルを確実に支持することができ、かつ、ディスプレイ間の繋ぎ目を目立たなくすることができる。
【図面の簡単な説明】
【００１３】
【図１】本実施の形態に係るマルチディスプレイの全体構成を示すイメージ図である。
【図２】本実施の形態に係るマルチディスプレイの組立状態を示す概略図である。
【図３】実施の形態１のディスプレイの構成を示す断面図である。
【図４】図３に示すディスプレイの平面図である。
【図５】実施の形態２のディスプレイの構成を示す断面図である。
【図６】実施の形態３のディスプレイの構成を示す断面図である。
【図７】従来のディスプレイの構成の一例を示す断面図である。
【発明を実施するための形態】
【００１４】
以下、図面に基づいてこの発明の実施の形態を説明する。なお、以下の図面において、同一または相当する部分には同一の参照番号を付し、その説明は繰返さない。
【００１５】
（実施の形態１）
図１は、本実施の形態に係るマルチディスプレイ１の全体構成を示すイメージ図である。図１に示すマルチディスプレイ１は、複数のディスプレイ１００Ａ，１００Ｂ，１００Ｃ，１００Ｄ，１００Ｅ，１００Ｆ，１００Ｇ，１００Ｈ，１００Ｉと、コンテンツ出力装置４００と、管理用ＰＣ５００とを含む。ディスプレイ１００Ａ〜１００Ｉと、管理用ＰＣ５００とは、第１のネットワーク５１を介して互いに通信する。ディスプレイ１００Ａ〜１００Ｉと、コンテンツ出力装置４００とは、第２のネットワーク５２を介して互いに通信する。
【００１６】
ディスプレイ１００Ａ〜１００Ｉは、液晶テレビやプラズマテレビなどの機器によって実現される。また、上記ネットワークは、たとえば、有線ＬＡＮ（Ｌｏｃａｌ  Ａｒｅａ  Ｎｅｔｗｏｒｋ）、無線ＬＡＮ、ＲＳ−２３２Ｃ（Ｒｅｃｏｍｍｅｎｄｅｄ  Ｓｔａｎｄａｒｄ  ２３２  ｖｅｒｓｉｏｎ  Ｃ）、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）などの規格に従ったネットワークによって実現される。
【００１７】
管理用ＰＣ５００とコンテンツ出力装置４００とは、同一の装置であってもよい。また、ディスプレイ１００Ａ〜１００Ｉは、単一のコンテンツ出力装置４００から受信したコンテンツを表示するように構成されているが、個々に異なる装置から表示するコンテンツを受信してもよい。
【００１８】
図２は、本実施の形態に係るマルチディスプレイ１の組立状態を示す概略図である。より詳細には、図２は、マルチディスプレイ１に含まれる９つのディスプレイ１００Ａ〜１００Ｉが一体に組み立てられ、１つの映像を拡大して表示している状態を示す。ディスプレイ１００Ａ〜１００Ｉは、ユーザからの操作命令に基づいて、１つの映像の一部を成す異なる映像を表示してもよいし、図１に示すようにそれぞれが（拡大することなく）同じ映像を表示してもよいし、または、ディスプレイ１００Ａ〜１００Ｉのそれぞれが別々に異なる映像を表示してもよい。
【００１９】
以下、図１および図２に示すディスプレイ１００Ａ〜１００Ｉ（これらを纏めてディスプレイ１００と称する）の各々の構成について説明する。まず、本実施の形態のディスプレイ１００との比較のために、図７を参照して、従来のディスプレイ１１０について説明する。図７は、従来のディスプレイ１１０の構成の一例を示す断面図である。図７に示すディスプレイ１１０は、画像を表示する液晶パネル１１と、液晶パネル１１に光を照射するバックライトユニット１６と、バックライトユニット１６を支持する背面側筐体２２と、液晶パネル１１を表面１２側から支持する前面側筐体２１と、前面側筐体２１を覆う化粧板２３と、導光部材の一例としての凸レンズ３１と、を備える。
【００２０】
以下に説明するディスプレイ１００，１１０の断面図において、図の上側がディスプレイ１００，１１０が映像を表示する側であるので、これを前面側と称する。上記前面側と反対側の図の下側を、背面側と称する。ディスプレイ１００，１１０を使用するユーザは、ディスプレイ１００，１１０に表示される映像または画像を、前面側から視認することができる。
【００２１】
液晶パネル１１は、平面形状矩形の平板状に形成されている。液晶パネル１１は、光を外部に照射する側の表面１２と、表面１２に対し反対側の裏面１３と、を有する。液晶パネル１１は、表面１２に映像または画像などを映し、ディスプレイ１１０の前面側から当該映像または画像などを視認できるようにする。
【００２２】
バックライトユニット１６は、たとえば冷陰極管またはＬＥＤ（Ｌｉｇｈｔ  Ｅｍｉｔｔｉｎｇ  Ｄｉｏｄｅ）などの光源と、光源からの光を液晶パネル１１へ導く導光板と、を含む。光源は、導光板の側面または背面に対向するように配置され、導光板へ光を入射する。導光板は、光源から入射された光を導き、液晶パネル１１に対向する面から光を出射させ、液晶パネル１１の裏面１３へ光を照射する。
【００２３】
背面側筐体２２は矩形状の有底箱型に形成されており、バックライトユニット１６をその内部空間に受け入れ可能に設けられている。バックライトユニット１６は、背面側筐体２２の内部に配置されている。バックライトユニット１６の背面側の面と背面側筐体２２の底面とが接触することにより、バックライトユニット１６は背面側筐体２２によって支持されている。
【００２４】
前面側筐体２１は、液晶パネル１１の表面１２側の額縁領域１４に接触して配置されている。前面側筐体２１は、枠状に形成されており、液晶パネル１１の表面１２を外部から観察可能なように窓部が形成されている。液晶パネル１１は、その周縁の額縁領域１４において前面側筐体２１に支持されており、額縁領域１４よりも内側の表示領域から照射された画像を前面側筐体２１の窓部を介して見ることができる構成とされている。前面側筐体２１は、液晶パネル１１と背面側筐体２２との間に介在し、前面側筐体２１の側部の内面が背面側筐体２２の側部の外面に対向するように配置され、背面側筐体２２に取り付けられている。
【００２５】
化粧板２３は、前面側筐体２１に固定されている。化粧板２３は、前面側筐体２１の前面および側面の全体を外側から覆って配置されている。化粧板２３は、ディスプレイ１１０を保護するとともに、ディスプレイ１１０の外観の美観性を向上させるために設けられている。たとえば、表面に金属光沢を有する材料により形成された化粧板２３を設けることにより、ディスプレイ１１０に高級感を与えることができる。
【００２６】
凸レンズ３１は、たとえばアクリル樹脂などの光を透過する性質を有する材料により形成される。凸レンズ３１は、液晶パネル１１の表面１２に接触し、前面側筐体２１および化粧板２３を前面側から覆って配置されている。凸レンズ３１は、矩形板状の液晶パネル１１の周縁の全部を覆う、枠状に形成されている。凸レンズ３１は、前面側筐体２１および背面側筐体２２に対し、ディスプレイ１１０の前面側に配置されている。凸レンズ３１は、ディスプレイ１１０の背面側から前面側へ向かって突起する。凸レンズ３１の背面側は、複数の平面を組み合わせた形状に形成されており、当該平面の一つが液晶パネル１１の表面１２に接触し、平面の他の一つが化粧板２３の前面側の外面に接触する。
【００２７】
額縁領域１４において、前面側筐体２１および化粧板２３によって液晶パネル１１の表面１２が覆われており、そのため額縁領域１４の前面側へ液晶パネル１１から直接導光することができない。そこで、図７中に矢印で示す光路３４のように、液晶パネル１１の表面１２から出射された光を凸レンズ３１で屈折させ、凸レンズ３１を経由して光を通過させる。凸レンズ３１を備えることにより、ディスプレイ１１０は、額縁領域１４の前面側へ導光し、ディスプレイ１１０の周縁部分の映像が表示されない領域を低減するように、構成されている。
【００２８】
図７に示すディスプレイ１１０の構成では、凸レンズ３１は、液晶パネル１１の表面１２に直接接触する部分を内周側に有し、液晶パネル１１の表面１２との間に前面側筐体２１および化粧板２３を介在させた部分を外周側に有する。この構成では、ディスプレイ１１０の端まで導光するためには、図７中に両矢印で示すレンズ厚み６１を大きくする必要がある。レンズ厚み６１を大きくすると、ディスプレイ１１０の全体の厚み、およびディスプレイ１１０の重量が増加する。また、図７に示す構成では、前面側筐体２１と化粧板２３とが光路３４を制限するので、ディスプレイ１１０の端側にまで光を届かせることができず、ディスプレイ１１０の端部には光が届かない領域６２が存在する。そのため、ディスプレイ１１０の端部における表示品位が低下する。
【００２９】
本実施の形態のディスプレイ１００は、上述した従来のディスプレイ１１０の欠点を克服しようとするものである。図３は、実施の形態１のディスプレイ１００の構成を示す断面図である。図４は、図３に示すディスプレイ１００の平面図である。
【００３０】
図３に示すディスプレイ１００は、映像を表示するために液晶を利用した、表示装置の一例としての液晶表示装置である。ディスプレイ１００は、図７を参照して説明した従来のディスプレイ１１０と同様に、表面１２と裏面１３とを有する表示パネルとしての液晶パネル１１と、液晶パネル１１に対し背面側に配置され液晶パネル１１に光を照射するバックライトユニット１６と、バックライトユニット１６を保護および保持する背面側筐体２２と、を備える。バックライトユニット１６と、液晶パネル１１に含まれる電極とは、液晶パネル１１を駆動するためのモジュールに含まれる。
【００３１】
図３と図７とを比較して、従来のディスプレイ１１０が化粧板２３を備えるのに対し、実施の形態１のディスプレイ１００は化粧板２３を備えない。導光部材としての凸レンズ３１は、化粧板２３を介さずに直接前面側筐体２１に接触し、前面側筐体２１に取り付けられている。凸レンズ３１は、前面側筐体２１および背面側筐体２２に対しディスプレイ１００の前面側に配置され、前面側筐体２１を前面側から覆う。図４に示すように、凸レンズ３１は、矩形板状の液晶パネル１１の周縁全体を覆う、枠状に形成されている。凸レンズ３１は、液晶パネル１１の周縁部を構成する額縁領域１４を覆って配置される。ディスプレイ１００を前面側から見たとき、図４に示すように、液晶パネル１１の表示領域と、その表示領域の外郭側の凸レンズ３１と、が視認される。
【００３２】
凸レンズ３１は、その前面側に、球面の一部形状を有する曲面３２を有する。曲面３２は、ディスプレイ１００の背面側から前面側へ向かって突起する。凸レンズ３１の背面側の表面の一部領域は、平面状に形成され、液晶パネル１１の表面１２に接触し、表面１２に接着されて液晶パネル１１に固定されている。凸レンズ３１が液晶パネル１１の表面１２に接着されるので、液晶パネル１１を確実に支持することができる。凸レンズ３１と液晶パネル１１との接着には、たとえばアクリル系高透明両面テープ、紫外線硬化型アクリル樹脂などの、光学的に透明かつ液晶パネル１１および凸レンズ３１の形成材料と屈折率が近い接着剤を使用するのが好適である。
【００３３】
凸レンズ３１の背面側の、液晶パネル１１と接着する領域の外周側の一部領域は、平面状に形成され、前面側筐体２１の前面側の表面に取り付けられている。凸レンズ３１の背面側の最外周側には、背面側へ延びる延出部３６が設けられている。延出部３６は、前面側筐体２１の外側面に取り付けられている。延出部３６は、ディスプレイ１００の側部の最外周部を、ディスプレイ１００の全周に亘って形成する。凸レンズ３１と前面側筐体２１とは、たとえばネジ止めなどで互いに組み付けることができる。
【００３４】
図３に示す実施の形態１のディスプレイ１００では、凸レンズ３１が液晶パネル１１の額縁領域１４の全周を覆うとともに、ディスプレイ１００の側部の全周を覆う。凸レンズ３１は、ディスプレイ１００を保護するとともに、ディスプレイ１００の外観の美観性を向上させる機能を有し、従来の化粧板２３と同様の機能を有する。凸レンズ３１が従来の化粧板２３の機能を兼ね備えることにより、従来の化粧板２３を省略することができる。そのため、従来の化粧板２３分のコストを削減でき、ディスプレイ１００の低コスト化を達成できる。
【００３５】
また、図７に示す従来のディスプレイ１１０では液晶パネル１１の表面１２と凸レンズ３１との間に前面側筐体２１と化粧板２３とが介在しているのに対し、図３に示すディスプレイ１００では、液晶パネル１１の表面１２と凸レンズ３１との間に前面側筐体２１のみが介在している。そのため、化粧板２３の厚み分の光路３４を確保でき、図３に示すように、ディスプレイ１００の端部により近い位置まで導光できる。したがって、ディスプレイ１００を複数枚平面状に並べてマルチディスプレイを形成する場合に、ディスプレイ１００間の繋ぎ目のより目立ちにくい、高画質なマルチディスプレイを提供することができる。
【００３６】
（実施の形態２）
図５は、実施の形態２のディスプレイ１００の構成を示す断面図である。実施の形態２のディスプレイ１００は、実施の形態１と同様の液晶パネル１１、バックライトユニット１６、および背面側筐体２２を備える。しかし、実施の形態２のディスプレイ１００は、凸レンズ３１の構成において実施の形態１と異なっている。
【００３７】
具体的には、実施の形態２のディスプレイ１００は、前面側筐体２１を備えない。凸レンズ３１は、前面側筐体２１を介さずに、直接背面側筐体２２に接触し、背面側筐体２２に取り付けられている。凸レンズ３１は、背面側筐体２２に対しディスプレイ１００の前面側に配置され、液晶パネル１１の額縁領域１４および背面側筐体２２を前面側から覆う。凸レンズ３１は、矩形板状の液晶パネル１１の周縁全体を覆う、枠状に形成されている。
【００３８】
凸レンズ３１の前面側には、球面の一部形状を有する曲面３２が形成される。凸レンズ３１の背面側には、平面３３が形成される。平面３３は、液晶パネル１１の表面１２に接触し、光学的に透明な接着剤により表面１２に接着されて液晶パネル１１に固定されている。凸レンズ３１が液晶パネル１１の表面１２に接着されるので、液晶パネル１１を確実に支持することができる。凸レンズ３１は、片面が球面状の曲面３２であり、他の片面が平面状の平面３３である、平凸レンズである。凸レンズ３１は、液晶パネル１１の表面１２に平面３３を面接触させている。液晶パネル１１は、前面側筐体２１を介さず、表面１２に接着された凸レンズ３１によって前面側から支持される。
【００３９】
凸レンズ３１の背面側の最外周側には、背面側へ延び、平面３３から背面側筐体２２側へ延びる延出部３６が設けられている。延出部３６は、背面側筐体２２の外側面に取り付けられている。延出部３６は、ディスプレイ１００の側部の最外周部を、ディスプレイ１００の全周に亘って形成する。凸レンズ３１と背面側筐体２２とは、たとえばネジ止めなどで互いに組み付けることができる。
【００４０】
図５に示す実施の形態２のディスプレイ１００では、実施の形態１と同様に、従来の化粧板２３を省略できる。加えて、凸レンズ３１が液晶パネル１１と背面側筐体２２との間に介在し、平面３３が液晶パネル１１に接着され、延出部３６が背面側筐体２２に取り付けられることにより、液晶パネル１１は凸レンズ３１によって支持される。つまり凸レンズ３１は、実施の形態１の前面側筐体２１と同様の、液晶パネル１１を支持する機能を有する。凸レンズ３１が前面側筐体２１の機能を兼ね備えることにより、前面側筐体２１を省略できるので、前面側筐体２１分のコストを削減でき、ディスプレイ１００の一層の低コスト化を達成できる。
【００４１】
また、図５に示すディスプレイ１００では、液晶パネル１１の表面１２と凸レンズ３１との間に他の部材は介在しない。そのため、前面側筐体２１などの他の部材によって光路３４が妨げられることがなく、実施の形態１と比較して前面側筐体２１の厚み分の光路３４を確保できるので、ディスプレイ１００の端部に一層近い位置まで導光できる。したがって、ディスプレイ１００を複数枚平面状に並べてマルチディスプレイを形成する場合に、ディスプレイ１００間の繋ぎ目を一層目立たなくした、より高画質なマルチディスプレイを形成することができる。
【００４２】
さらに、凸レンズ３１が前面側筐体２１の機能を兼ねることにより、液晶パネル１１の表面１２に対向する凸レンズ３１の面は平面３３として形成され、液晶パネル１１と凸レンズ３１の背面側の面との間の段差がなくなる。液晶パネル１１の表面１２と凸レンズ３１との間に隙間が発生しないので、液晶パネル１１の表面１２から凸レンズ３１の曲面３２に至る光路３４が隙間によって分断され隙間において光が拡散することを防止できる。そのため、液晶パネル１１の表面１２の表示領域から額縁領域１４の前面側へ導光される光が、前面側筐体２１または隙間によって妨げられることがない。したがって、凸レンズ３１の曲面３２へ到達する光の輝度を増大させることができ、マルチディスプレイのディスプレイ１００間の繋ぎ目において明るさが減少する表示ムラを低減することができる。
【００４３】
（実施の形態３）
図６は、実施の形態３のディスプレイ１００の構成を示す断面図である。実施の形態３のディスプレイ１００は、実施の形態２と同様の液晶パネル１１、バックライトユニット１６、および背面側筐体２２を備える。しかし、実施の形態３のディスプレイ１００は、凸レンズ３１の構成および液晶パネル１１を支持する手段において実施の形態２と異なっている。
【００４４】
具体的には、実施の形態３の液晶パネル１１は、接着層４１によりバックライトユニット１６に接着されている。凸レンズ３１は、実施の形態２と同様に、液晶パネル１１の表面１２に接着されている。液晶パネル１１をバックライトユニット１６に接着することで、背面側筐体２２と、バックライトユニット１６と、液晶パネル１１と、凸レンズ３１とを一体化し、液晶パネル１１を確実に支持することができる。液晶パネル１１が背面側から接着され固定されるので、上述したように、背面側筐体２２と前面側筐体２１または凸レンズ３１とによって液晶パネル１１を挟まなくても、液晶パネル１１の外れを抑制することができる。
【００４５】
実施の形態１，２では、前面側筐体２１または凸レンズ３１の延出部３６をディスプレイ１００の側面部分に配置し、背面側筐体２２と組み付ける必要があった。一方、実施の形態３では、液晶パネル１１をバックライトユニット１６に接着して固定することにより、ディスプレイ１００の側面部分に前面側筐体２１または凸レンズ３１の延出部３６を配置する必要がない。そのため、ディスプレイ１００の側面部分の厚みを低減することができるので、ディスプレイ１００の狭額縁化を達成することができる。したがって、ディスプレイ１００間の繋ぎ目を一層目立たなくした、さらに高画質なマルチディスプレイを形成することができる。
【００４６】
図６に示すように、実施の形態３のディスプレイ１００は、凸レンズ３１の背面側の平面３３と背面側筐体２２との間に介在する、スペーサ４２をさらに備える。このスペーサ４２は、容易に弾性変形可能な弾性部材により形成されている。スペーサ４２は、凸レンズ３１と背面側筐体２２との間に形成される隙間を埋めるために設けられている。スペーサ４２は、背面側筐体２２と接着されており、凸レンズ３１でスペーサ４２を押さえつけスペーサ４２を弾性変形させることにより、凸レンズ３１と背面側筐体２２との隙間が密閉される。
【００４７】
また実施の形態３では、液晶パネル１１の表面１２の表示領域を覆う被覆材４８が設けられている。この被覆材４８は、液晶パネル１１の保護、または、タッチパネルとしての用途に用いることができる。被覆材４８は、凸レンズ３１と同一の材料で形成されてもよく、たとえばアクリル樹脂により形成されてもよい。
【００４８】
なお、実施の形態１〜３の説明においては、映像を表示する表示パネルとして液晶パネル１１を使用した液晶表示装置であるディスプレイ１００を例として説明した。本発明の表示装置は、液晶表示装置に限られるものではない。たとえば表示装置は、有機ＥＬ、プラズマディスプレイなどを利用して映像を表示するものであってもよい。
【００４９】
以上のように本発明の実施の形態について説明を行なったが、各実施の形態を適宜組み合わせてもよい。また、今回開示された実施の形態はすべての点で例示であって、制限的なものではないと考えられるべきである。この発明の範囲は上記した説明ではなくて請求の範囲によって示され、請求の範囲と均等の意味、および範囲内でのすべての変更が含まれることが意図される。
【符号の説明】
【００５０】
１  マルチディスプレイ、１１  液晶パネル、１２  表面、１３  裏面、１４  額縁領域、１６  バックライトユニット、２１  前面側筐体、２２  背面側筐体、２３  化粧板、３１  凸レンズ、３２  曲面、３３  平面、３４  光路、３６  延出部、４１  接着層、４２  スペーサ、４８  被覆材、１００  ディスプレイ。
【図１】
2012096231.tif 000003
【図２】
2012096231.tif 000004
【図３】
2012096231.tif 000005
【図４】
2012096231.tif 000006
【図５】
2012096231.tif 000007
【図６】
2012096231.tif 000008
【図７】
2012096231.tif 000009
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
表面と裏面とを有する表示パネルと、
前記表示パネルを駆動するためのモジュールと、
前記モジュールを保護および保持する筐体と、
前記表示パネルの周縁部を覆って配置され、前記表示パネルの前記表面から前記周縁部の前面側へ導光するとともに、前記表示パネルを前記表面から支持する、導光部材と、を備える、表示装置。
【請求項２】
前記導光部材は、前記表示パネルの前記表面に平面を面接触させた平凸レンズを含む、請求項１に記載の表示装置。
【請求項３】
前記導光部材は、前記平面から前記筐体側へ延び前記筐体に取り付けられた延出部を含む、請求項２に記載の表示装置。
【請求項４】
前記平面と前記筐体との間に介在する弾性部材をさらに備える、請求項２に記載の表示装置。
【請求項５】
前記表示装置は、液晶表示装置である、請求項１から請求項４のいずれかに記載の表示装置。
【国際調査報告】
2012096231.tif 000010
2012096231.tif 000011
2012096231.tif 000012
2012096231.tif 000013